(57)【特許請求の範囲】
【請求項１】
リモコン操作部から出力される操作信号をコントローラーの受信部で受信し、前記コントローラーから出力される制御信号に基づいてモーターを駆動して、日射遮蔽材を駆動する電動型日射遮蔽装置において、
前記操作信号を受信する持出受信部を前記コントローラーと別体に設け、前記持出受信部と前記コントローラーとを通信ケーブルで接続し、前記持出受信部は取付面に固定されるステーと、基端部が前記ステーに上下方向に回動可能に支持される直方体状の本体部とで構成し、前記通信ケーブルを前記本体部の回動軸心を通って接続するとともに、該通信ケーブルを前記本体部のうち回動軸に近い側の長手方向の端面である基端面以外から延設したことを特徴とする電動型日射遮蔽装置のリモコン装置。
【請求項２】
前記本体部を前記ステーから水平方向に延びる状態から上方にのみ回動可能に支持し、前記通信ケーブルを、前記本体部の前記ステーに対向する側面から該ステーに沿って上方に延設したことを特徴とする請求項１記載の電動型日射遮蔽装置のリモコン装置。
【請求項３】
前記本体部には、該本体部を前記ステーに沿うように回動したとき、前記通信ケーブルを収容する収容溝を設けたことを特徴とする請求項２記載の電動型日射遮蔽装置のリモコン装置。
【請求項４】
前記ステーと本体部には、該本体部をその回動範囲内で段階的に保持する保持手段を設けたことを特徴とする請求項２又は３記載の電動型日射遮蔽装置のリモコン装置。
【請求項５】
前記通信ケーブルを前記本体部の回動軸心の延長方向に延設したことを特徴とする請求項１記載の電動型日射遮蔽装置のリモコン装置。
【発明の詳細な説明】
【技術分野】
【０００１】
この発明は、赤外線等の通信媒体を使用したリモコン装置の受信部に関するものである。
【背景技術】
【０００２】
電動ブラインドの一種類として、赤外線を通信媒体としたリモコン装置により、スラットの昇降操作及び角度調節操作を遠隔操作可能としたものがある。このような電動ブラインドでは、ヘッドボックス内あるいはヘッドボックス近傍にコントローラーが設置され、リモコン操作部の操作によりコントローラーを介してヘッドボックス内のモーターを駆動して、スラットの昇降操作及び角度調節操作を行うようになっている。
【０００３】
リモコンスイッチから出力される赤外線は受光部で受信され、受光部で生成される受信信号がコントローラーに出力される。受光部は、ヘッドボックス近傍に設置されるコントローラーに一体に取着されたり、あるいはコントローラーを居住空間に露出させたくない場合には、コントローラーとは別体とした持出受信部が赤外線を受光し易い位置で、電動ブラインド近傍の壁面等に取着される。
【０００４】
図１０は、持出受信部の従来例を示す。直方体状の受光部１の基端部はステー２に回動可能に支持され、そのステー２が取付面３に取着されて、受光部１は壁面に対し上下方向に回動可能に支持される。また、受光部１はその基端部から延設される通信ケーブル４でコントローラーと接続される。
【０００５】
このように構成された受光部１は、垂直方向から水平方向までの９０度の範囲で角度を調節可能であり、リモコンスイッチから出力される赤外線信号を受信するために最適な角度を設定可能となっている。
【特許文献１】実用新案登録第３１３２１４３号公報
【発明の開示】
【発明が解決しようとする課題】
【０００６】
上記のような受光部１では、図１１に鎖線で示すように水平方向に回動しようとすると、通信ケーブル４が取付面３に干渉するため、水平方向に近い角度まで回動させることができない。
【０００７】
また、受光部１の前面が斜め下方に向かうようにするには、受光部１の基端部を下方に位置させる必要がある。すると、通信ケーブル４は受光部１の下方に常に露出される状態となり、美観上好ましくない。
【０００８】
また、通信ケーブル４を受光部１の上端部から延設すると、受光部１の回動にともなって受光部１の先端部とコントローラーとの距離が変化する。従って、受光部１を水平方向に回動し得るように通信ケーブル４の長さを確保すると、受光部１を垂直方向に回動した状態では通信ケーブル４が弛んだ状態となるため、美観上好ましくない。
【０００９】
この発明の目的は、受光部の回動操作に対する通信ケーブルの干渉を防止し、かつ美観を向上させ得る電動型日射遮蔽装置のリモコン装置を提供することにある。
【課題を解決するための手段】
【００１０】
請求項１では、リモコン操作部から出力される操作信号をコントローラーの受信部で受信し、前記コントローラーから出力される制御信号に基づいてモーターを駆動して、日射遮蔽材を駆動する電動型日射遮蔽装置において、前記操作信号を受信する持出受信部を前記コントローラーと別体に設け、前記持出受信部と前記コントローラーとを通信ケーブルで接続し、前記持出受信部は取付面に固定されるステーと、基端部が前記ステーに上下方向に回動可能に支持される直方体状の本体部とで構成し、前記通信ケーブルを前記本体部の回動軸心を通って接続するとともに、該通信ケーブルを前記本体部のうち回動軸に近い側の長手方向の端面である基端面以外から延設した。
【００１１】
請求項２では、前記本体部を前記ステーから水平方向に延びる状態から上方にのみ回動可能に支持し、前記通信ケーブルを、前記本体部の前記ステーに対向する側面から該ステーに沿って上方に延設した。
【００１２】
請求項３では、前記本体部には、該本体部を前記ステーに沿うように回動したとき、前記通信ケーブルを収容する収容溝を設けた。
請求項４では、前記ステーと本体部には、該本体部をその回動範囲内で段階的に保持する保持手段を設けた。
【００１３】
請求項５では、前記通信ケーブルを前記本体部の回動軸心の延長方向に延設した。
【発明の効果】
【００１４】
本発明によれば、受光部の回動操作に対する通信ケーブルの干渉を防止し、かつ美観を向上させ得る電動型日射遮蔽装置のリモコン装置を提供することができる。
【発明を実施するための最良の形態】
【００１５】
以下、この発明を具体化した一実施の形態を図面に従って説明する。図１に示す電動横型ブラインドは、窓の上方の取付面に取着されるヘッドボックス１１から吊下支持された複数本のラダーコード１２に多数段のスラット１３が支持され、ラダーコード１２の下端にボトムレール１４が吊下支持されている。
【００１６】
前記各スラット１３には、前記ラダーコード１２の支持位置近傍で前記ヘッドボックス１１から垂下される昇降コード１５が挿通され、その昇降コード１５の下端は前記ボトムレール１４に接続されている。
【００１７】
前記ヘッドボックス１１内にはモーター１６が配設され、そのモーター１６の作動によりヘッドボックス１１内に配設される駆動軸が回転される。そして、駆動軸の回転に基づいて、各スラット１３がラダーコード１２を介して同位相で角度調節されるとともに、昇降コード１５を介してボトムレール１４が昇降されて、スラット１３が昇降される。
【００１８】
前記ヘッドボックス１１の近傍において、壁面等の取付面には直方体状のコントローラー１７が取着され、そのコントローラー１７の上端部から制御ケーブル１８及び電源コード１９が延設されている。
【００１９】
そして、電源コード１９を介してコントローラー１７に電源が供給され、コントローラー１７は制御ケーブル１８を介して前記モーター１６を制御するようになっている。
前記コントローラー１７の下端部から通信ケーブル２０が延設され、その通信ケーブル２０の先端に持出受信部２１が接続されている。そして、持出受信部２１はリモコン操作部（図示しない）から出力される赤外線信号を受信し、その受信信号を通信ケーブル２０を介してコントローラー１７に出力する。
【００２０】
次に、前記持出受信部２１の具体的構成を説明する。図３に示すように、持出受信部２１は、板状のステー２２に中央部に取付孔２３が形成され、基端部には軸受部２４が形成されている。そして、ステー２２は取付孔２３に挿通されるネジで壁面等の取付面３に取着される。
【００２１】
前記軸受部２４には本体部のケース２５の基端部が図２に示す状態から図３に示す状態までの範囲で回動可能に支持されている。そして、前記ステー２２はその基端部を下方として取付面に取着される。
【００２２】
前記ケース２５には、図２に示すように、ステー２２に沿うように上方へ回動した状態で前面となる部分に受光パネル２６が取着されている。この受光パネル２６は、リモコン操作部から出力される赤外線信号を透過可能とした合成樹脂で形成されている。
【００２３】
前記通信ケーブル２０は、前記ケース２５の基端部から前記ステー２２の前面に沿って上方へ延設されている。また、ケース２５の後面には、図２に示すようにケース２５を上方へ回動したとき、前記通信ケーブル２０を収容するための収容溝２７が形成されている。そして、ケース２５は図４に実線で示す位置から鎖線で示す位置までのほぼ９０度の範囲で回動可能となっている。
【００２４】
また、図４に示すように、前記軸受部２４の外周縁にはノッチ４０が等間隔に形成され、前記ケース２５のノッチ４０に対向する面には、そのノッチ４０を乗り越えながら係合する突起４１が形成されている。従って、ケース２５はノッチ４０と突起４１と〜なる保持手段の作用により、その回動範囲内で段階的に保持される。
【００２５】
図５に示すように、前記ケース２５内にはプリント基板２８が収容され、そのプリント基板２８上には受光素子２９を含む回路素子が搭載され、赤外線信号を電気信号に変換して前記コントローラーに出力するようになっている。
【００２６】
前記通信ケーブル２０の先端部は、ケース２５内でプリント基板２８の端部に半田付けされ、その接合部から１８０度屈曲されてケース２５の上端部から上方へ延設されている。従って、図４に示すようなケース２５の回動に際し、通信ケーブル２０が回動操作を妨げることはない。
【００２７】
前記コントローラー１７は、図６に示すように、取付面に取着されるケース３０の前面にフロントカバー３１が取着され、ケース３０の上部にコネクタカバー３２が着脱可能に取着され、ケース３０の下部に受光パネル３３が取着される。そして、前記制御ケーブル１８及び電源コード１９は、コネクタカバー３２を取り外した状態で、それぞれコネクタ３４，３５を介してケース３０内の制御基板に接続される。
【００２８】
また、受光パネル３３の下面には挿通孔が形成され、前記通信ケーブル２０の基端部に取着されるコネクタを、その挿通孔からケース３０内の制御基板に接続可能となっている。なお、持出受信部２１を接続しない場合には、受光パネル３３の内側に配設される受光素子で赤外線信号を受信可能であり、この場合には挿通孔にカバーが取着される。
【００２９】
図７に示すように、前記ケース３０の背面上端部には、電源コード１９のコネクタ３５を挿通可能とした挿通孔３６が形成されている。また、図８に示すように、ケース３０の背面の外周縁にはリブ３７が形成され、ケース３０を取付面に固定したとき、ケース３０の背面と取付面との間に前記電源コード１９を収容可能とした空間が確保されるようになっている。
【００３０】
また、前記ケース３０の背面には前記リブ３７の近傍には電源コード１９を案内するガイド片３８が複数設けられ、前記ケース３０の下端部において、リブ３７は切除されて電源コード１９を下方へ案内可能とした取り出し孔３９が形成されている。
【００３１】
このような構成により、電源コード１９をコネクタ３５から挿通孔３６を経てケース３０の背面に案内し、さらにリブ３７とガイド片３８間を経て取り出し孔３９からケース３０下方へ案内可能となっている。
【００３２】
さて、上記のように構成された電動横型ブラインドでは、図１に示すようにコントローラー１７に持出受信部２１を接続し、リモコン操作部の赤外線信号を受信しやすい位置で取付面に持出受信部２１を取着する。すると、リモコン操作部から出力される赤外線信号を持出受信部２１で受信し、その受信信号に基づいてスラット１３の昇降操作あるいは角度調節操作を行うことができる。
【００３３】
上記のように構成された持出受信部２１を備えた電動横型ブラインドでは、次に示す作用効果を得ることができる。
（１）通信ケーブル２０を介してコントローラー１７に持出受信部２１を接続することができるので、コントローラー１７を居住者の視界から見えない位置に設置しても、持出受信部２１をリモコン操作部から出力される赤外線信号を受信可能な位置に取着すれば、リモコン操作部の操作によりブラインドを操作することができる。
（２）持出受信部２１は、ケース２５をステー２２に対し回動させることにより、赤外線信号を受信しやすい角度に調整することができる。
（３）ステー２２の軸受部２４に設けたノッチ４０とケース２５に設けた突起４１により、ケース２５を段階的に回動して保持することができる。
（４）通信ケーブル２０は、ステー２２の軸受部２４の近傍に位置するケース２５の基端部からステー２２に沿って延設されるので、ケース２５の回動操作に通信ケーブル２０が干渉することはない。
（５）ケース２５に収容溝２７を設けたので、その収容溝２７に通信ケーブル２０を収容することにより、ケース２５を垂直方向まで回動させることができる。
（６）ケース２５の回動にともなって通信ケーブル２０が緊張されたり、あるいは弛んだりすることはない。
（７）通信ケーブル２０は、ケース２５から上方に向かってのみ露出されるので、美観を向上させることができる。
（８）電源コード１９をコントローラー１７の上端から上方へ延設することと、コントローラー１７の下端から下方へ延設することのいずれかを選択することができる。従って、電源コンセントの位置に応じて、コントローラー１７の上端あるいは下端から電源コード１９を引き回すことができるので、電源コード１９の引き回し長さを短くして美観を向上させることができる。
（９）電源コード１９をコントローラー１７のケース３０の背面でガイド片３８とリブ３７との間を周回させて、コントローラー１７と電源コンセントとの間の電源コード１９の長さを調節することができる。従って、コントローラー１７と電源コンセントとの間での電源コード１９の無用な弛みを防止して美観を向上させることができる。
【００３４】
上記実施の形態は、以下の態様で実施してもよい。
・収容溝をステーに設けてもよい。
・図９に示すように、通信ケーブル２０を持出受信部２１の軸受部から側方、すなわち回動軸心の延長方向へ延設してもよい。
・持出受信部は、赤外線以外の通信媒体を受信するものとしてもよい。
・電動横型ブラインド以外に、たくし上げカーテンやプリーツカーテン、あるいはロールブラインド等のリモコン操作部の持出受信部として使用することもできる。
【図面の簡単な説明】
【００３５】
【図１】電動横型ブラインドを示す斜視図である。
【図２】持出受光部を示す斜視図である。
【図３】持出受光部を示す斜視図である。
【図４】持出受光部を示す側面図である。
【図５】持出受光部を示す断面図である。
【図６】コントローラーを示す斜視図である。
【図７】コントローラーを示す斜視図である。
【図８】コントローラーを示す斜視図である。
【図９】持出受光部の別例を示す説明図である。
【図１０】従来例を示す斜視図である。
【図１１】従来例を示す側面図である。
【符号の説明】
【００３６】
２０…通信ケーブル、２１…持出受信部、２２…ステー、２５…本体部（ケース）。
【図１】
0005308648.tif 000002
【図２】
0005308648.tif 000003
【図３】
0005308648.tif 000004
【図４】
0005308648.tif 000005
【図５】
0005308648.tif 000006
【図６】
0005308648.tif 000007
【図７】
0005308648.tif 000008
【図８】
0005308648.tif 000009
【図９】
0005308648.tif 000010
【図１０】
0005308648.tif 000011
【図１１】
0005308648.tif 000012